【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
装置であって、
涙点内に少なくとも部分的に挿入可能な涙管インプラントを備え、前記涙管インプラントは、
インプラント・コアと、
前記インプラント・コアを収納できるサイズおよび形状を有するキャビティを備えるインプラント本体とを備え、
前記インプラント・コアおよび前記インプラント・キャビティのうちの少なくとも一方は別の検出器デバイスで前記涙管インプラントの自動検出を可能にするように構成された検出デバイスを備える装置。
【請求項２】
前記検出デバイスは、検出信号を前記検出デバイスに伝達するように構成された電波による個体識別（ＲＦＩＤ）チップを備える請求項１に記載の装置。
【請求項３】
前記検出デバイスは、光を前記検出器デバイスに反射するように構成されたルミネッセンス材料を含む請求項１に記載の装置。
【請求項４】
前記ルミネッセンス材料は、量子ドットを含む請求項３に記載の装置。
【請求項５】
前記検出デバイスは、超音波エネルギーを前記検出デバイスに反射するように構成された超音波反射材料を含む請求項１に記載の装置。
【請求項６】
前記検出デバイスは、外部磁場の印加および除去の後に強磁性を保持することができる強磁性材料を含み、前記保持されている強磁性は、前記検出器デバイスによって検出可能である請求項１に記載の装置。
【請求項７】
前記検出デバイスは、前記検出器デバイスによって検出可能な磁場を保持するための磁性材料を含み、前記磁性材料は、マグネタイト、金属粉末、金属リング、およびカーボン粉のうちの少なくとも１つを含む請求項１に記載の装置。
【請求項８】
前記検出デバイスは、感知回路への前記涙管インプラントの近接により前記検出器デバイスの前記感知回路の特性インピーダンスの変化を引き起こすように構成された導電性材料を含む請求項１に記載の装置。
【請求項９】
前記検出デバイスは、前記涙管インプラントを目の一領域から光学的に弁別するように構成された前記インプラント・コアおよび前記インプラント・キャビティのうちの少なくとも１つの中に光学的コントラスト材料および色材のうちの少なくとも１つを含む請求項１に記載の装置。
【請求項１０】
前記検出デバイスは、紫外線源による照射を受けたときに見える材料を含む請求項１に記載の装置。
【請求項１１】
前記インプラント・コアは、徐放性眼用薬剤を含む請求項１に記載の装置。
【請求項１２】
前記インプラント・コアは、前記薬剤を収納するシースを備え、前記検出デバイスは、前記シース内に配置される請求項１１に記載の装置。
【請求項１３】
前記インプラント本体の生体適合性材料は、眼内に持続放出するための薬剤を含む請求項１に記載の装置。
【請求項１４】
前記涙管インプラントは、前記インプラント本体の外面上にポリマー・コーティングを備え、ポリマー・コーティングは、前記薬剤を含む請求項１３に記載の装置。
【請求項１５】
涙点内に少なくとも部分的に挿入可能な涙管インプラントを備え、前記涙管インプラントは、
前記涙管インプラントの検出を可能にするように、また前記涙管インプラントの少なくとも１つの属性を識別するように構成された検出デバイスを備える、生体適合性材料のインプラント本体を備える装置。
【請求項１６】
前記検出デバイスは、属性情報を別の検出器デバイスに伝達するように構成された電波による個体識別（ＲＦＩＤ）チップを備える請求項１５に記載の装置。
【請求項１７】
前記検出デバイスは、前記涙管インプラント内に色を含み、前記色は、前記涙管インプラントの属性を識別する請求項１５に記載の装置。
【請求項１８】
前記検出デバイスは、ルミネッセンス材料を含み、前記ルミネッセンス材料は、前記色を反射する請求項１７に記載の装置。
【請求項１９】
前記ルミネッセンス材料は、量子ドットを含む請求項１８に記載の装置。
【請求項２０】
前記検出デバイスは、紫外線源で見える材料を含み、前記検出デバイスは、前記紫外線源による照射を受けたときに前記属性を識別する請求項１５に記載の装置。
【請求項２１】
前記検出デバイスは、
前記涙管インプラントによって溶出可能な材料と、
前記属性が識別されるように材料が溶出される生体侵食性表面とを備える請求項１５に記載の装置。
【請求項２２】
前記涙管インプラントは、徐放性眼用薬剤を備え、前記涙管インプラントの前記属性は前記眼用薬剤の種類、前記眼用薬剤の用量、および前記眼用薬剤の放出が完了したときの指示情報のうちの少なくとも１つを含む請求項１５に記載の装置。
【請求項２３】
前記属性は、前記涙管インプラント・メーカー、前記涙管インプラント・メーカーのロット番号、前記涙管インプラントが埋設されたときの日付、前記インプラントの有効期限、前記涙管インプラントが埋設された場所の指示情報、医師を識別するための指示情報、および患者を識別するための指示情報のうちの少なくとも１つを含む請求項１５に記載の装置。
【請求項２４】
涙点内に少なくとも部分的に挿入可能な涙管インプラントを備え、前記涙管インプラントは、
検出デバイスを収納するインプラント本体を備え、前記検出デバイスは、
外部磁場の印加および除去の後に強磁性を保持することができる強磁性材料と、
別の超音波検出器デバイスによる前記涙管インプラントの自動検出を可能にするように構成された超音波反射材料と、
前記インプラント本体内に含まれる、前記涙管インプラント検出器デバイスと通信するように構成されている電波による個体識別（ＲＦＩＤ）とを備える装置。
【請求項２５】
前記検出デバイスは、強磁性材料を含み、前記強磁性材料は、マグネタイト、金属粉末、金属リング、およびカーボン粉のうちの少なくとも１つを含む請求項２４に記載の装置。
【請求項２６】
前記検出デバイスは、超音波反射材料を含み、前記超音波反射材料は、前記インプラント本体の生体適合性材料内に配置され、前記超音波反射材料は、超音波エネルギーを前記涙管インプラントに印加した後に前記インプラント本体に形状を変えさせるように構成される請求項２４に記載の装置。
【請求項２７】
前記超音波反射材料は、圧電材料を含む請求項２６に記載の装置。
【請求項２８】
眼内に持続放出するための薬剤は、前記インプラント本体内に配置される請求項２４に記載の装置。
【請求項２９】
入射光を涙管インプラントに送るための発光源と、
前記涙管インプラントのルミネッセンス材料から反射された指定波長帯の光を通すように構成されている光学フィルターと、
前記光学フィルターに通された光を受け取り、前記涙管インプラントの近接を示すのに十分な光を受け取ったときに応答電気信号を発生するように構成されている光検出デバイスと、
前記光検出デバイスに通信可能なように結合され、前記電気信号を受け取った後にプラグ検出のユーザ指示情報を出すインジケータとを備える検出システム。
【請求項３０】
前記発光源は、第１の波長帯を有する入射光を放出し、前記ルミネッセンス材料は、第２の波長帯の前記入射光を反射する請求項２９に記載のシステム。
【請求項３１】
前記発光源は、青色スペクトルの入射光を放出し、前記ルミネッセンス材料は、緑色スペクトルの前記入射光を反射する請求項２９に記載のシステム。
【請求項３２】
前記発光源は、赤外線スペクトルの第１の波長帯の入射光を放出し、前記ルミネッセンス材料は、前記赤外線スペクトルの異なる第２の波長帯の前記入射光を反射する請求項２９に記載のシステム。
【請求項３３】
前記インジケータは、プラグ検出の可視指示情報を出す請求項２９に記載のシステム。
【請求項３４】
前記インジケータは、プラグ検出の可聴指示情報を出す請求項２９に記載のシステム。
【請求項３５】
外部磁場の印加および除去の後も強磁性を保持することができる強磁性材料を入れた生体適合性材料のインプラント本体を備える、涙点内に少なくとも部分的に挿入可能な涙管インプラントと、
涙管インプラント検出器デバイスであって、
磁場検出器回路と、
前記磁場検出器回路に通信可能なように結合され、前記涙管インプラントの磁場の検出後に指示情報を出すように構成されているインジケータ・デバイスとを備える、涙管インプラント検出器デバイスとを備える検出システム。
【請求項３６】
涙点内に挿入可能な涙管インプラントであって、
生体適合性材料のインプラント本体と、
前記インプラント本体内の導電性材料とを備える涙管インプラントと、
涙管インプラント検出器デバイスであって、
特性インピーダンスを有する感知回路と、
前記感知回路への前記涙管インプラントの近接により生じる前記特性インピーダンスの変化を検出するように構成されている検出器回路と、
前記検出器回路に通信可能なように結合され、前記特性インピーダンスの前記変化の検出後に指示情報を出すように構成されているインジケータ・デバイスとを備える涙管インプラント検出器デバイスとを備える検出システム。
【請求項３７】
画像センサと、
画像コントラスト閾値によって画像の他の領域内の画像コントラストを超える画像コントラストを有する画像部分の配置を検出し、前記画像内に涙管インプラントの一部の画像が含まれるかどうかの指示情報を出すように構成されている画像分析器回路とを備える検出システム。